(57)【要約】【課題】伐採する竹木の下部に取り付けるだけで、従来のように竹木にロープを掛けるために樹木に昇ることなく、地上での作業のみで簡易かつ確実に任意の方向に倒木させることができ、しかも大型の機械を用いることなく任意の方向に倒木させる。【解決手段】２本の板材６間に複数本の横木７を取り付けた補助具下本体２と、２本の板材６間に複数本の横木７を取り付けた補助具上本体３と、長手方向へ直列に並べた補助具下本体２と補助具上本体３とを直線状態から一方向のみに折れ曲がるように該補助具下本体２の上部と補助具上本体３の下部とを連結するヒンジ４と、各横木７に設けられた、竹木ｔを着脱自在に掛け止める把持部５とを備えた。【選択図】図２
2012152118.tif 000002
【特許請求の範囲】
【請求項１】
伐採する竹木（ｔ）が安全な方向へ倒れるように、伐採する際に竹木（ｔ）に取り付ける竹木伐採補助具（１，２１，３１）であって、
２本の板材（６）間に複数本の横木（７，３２）を取り付けた補助具下本体（２）と、２本の板材（６）間に複数本の横木（７，３２）を取り付けた補助具上本体（３）と、
長手方向へ直列に並べた前記補助具下本体（２）と補助具上本体（３）とを直線状態から一方向のみに折れ曲がるように該補助具下本体（２）の上部と該補助具上本体（３）の下部とを連結するヒンジ（４）と、
各横木（７，３２）に設けられた、竹木（ｔ）を着脱自在に掛け止める把持部（５）と、を備えた、ことを特徴とする竹木伐採補助具。
【請求項２】
前記ヒンジ（４）に、前記補助具下本体（２）と補助具上本体（３）との折り曲げ方向へ付勢する弾性部材（２２）を備えると共に、
該補助具下本体（２）と補助具上本体（３）とを、直線状態に維持するストッパー（２３）を更に備えた、ことを特徴とする請求項１の竹木伐採補助具。
【請求項３】
前記把持部（５）は、前記横木（７）に固定円弧状部材（８）の根元部を固定し、該固定円弧状部材（８）に向き合うように可動円弧状部材（９）を可動自在に取り付け、該可動円弧状部材（９）の開閉角度を規制する調整具（１０）を設けたものである、ことを特徴とする請求項１の竹木伐採補助具。
【請求項４】
前記把持部（５）は、竹木（ｔ）を掛け止める鉤状部材（２４）を前記横木（７）に取り付けたものである、ことを特徴とする請求項１の竹木伐採補助具。
【請求項５】
前記把持部（５）は、竹木（ｔ）に巻き付けるロープ（２６）を前記横木（７，３２）に取り付けたものである、ことを特徴とする請求項１の竹木伐採補助具。
【請求項６】
前記把持部（５）は、竹木（ｔ）に巻き付けるチェーン（２８）を前記横木（７，３２）に取り付け、かつ該チェーン（２８）の途中に引っ掛ける係止具（２９）を前記横木（７，３２）に設けたものである、ことを特徴とする請求項１の竹木伐採補助具。
【請求項７】
前記横木（３２）は、竹木（ｔ）の側面形状に沿って湾曲した形状であることを特徴とする請求項１、５又は６の竹木伐採補助具。
【発明の詳細な説明】
【技術分野】
【０００１】
本発明は、竹木を伐採する際に、その伐採する竹木が安全な方向へ倒木するよう誘導するために、伐採する竹木に取り付ける竹木伐採補助具に関する。
【背景技術】
【０００２】
山間部における送配電設備の周囲で、樹木と竹即ち竹木が伸びて送配電設備の充電部に近づくことがある。このような竹木は充電部に届く前に、その竹木を伐採して事故を未然に防いでいる。特に送電線に接近している竹木を伐採する際には、倒す竹木が充電部に近づかないようにするため、竹木の高い位置の幹、枝にロープを掛け止め充電部の反対方向に引っ張りながら行っている。掛け止めるロープについても、１本では倒れる方向性に不安があるため、３本のロープを掛けて３方向にそれぞれ作業員が引くのが一般的な作業方法である。
【０００３】
このロープを引っ張りながら竹木を伐採することで、竹木の倒れる方向をコントロールしている。これにより伐採した竹木が送電線やその他の構造物に転倒して接触することを防止すると共に作業員の安全を確保している。従来はこのロープの固縛するに際して、梯子又は昇柱機を使用して作業員が竹木に昇って行っていた。
【０００４】
しかし、竹木にロープを結び付ける作業は高所作業であるため危険を伴うことがある。また、作業者の体重によって竹の場合は折れてしまう危険性もある。このため例えば特許文献１の特開２００６−１０９８０１５号公報「昇降装置」のように、生立する樹木が生長すると共に、引き起こされる障害を排除するために、樹木の上端部を伐採切断する切断機構を所定の高さまで上昇、下降させる装置が提案されている。
【０００５】
また、特許文献２の特開平９−２７２９６８号公報「伐採用作業車」のように、配電線にかかる樹木の枝や、その他の立木の枝を伐採するための、鋸部材の枝に対する切断方向を容易に換えられる伐採用作業車が提案されている。
【０００６】
更に、特許文献３の特許第４０９１１００号公報「竹伐採用アタッチメント及びそれを備えた竹伐採作業機」のように、風で竹が撓る等して動いても切断手段が切断中に動かなくなり破損しないようにすると共に、竹の根元の地面近くを切断手段を破損させることなく切断できる竹伐採用アタッチメント及びそれを備えた竹伐採作業機が提案されている。
【先行技術文献】
【特許文献】
【０００７】
【特許文献１】特開２００６−１０９８０１５号公報
【特許文献２】特開平９−２７２９６８号公報
【特許文献４】特許第４０９１１００号公報
【発明の概要】
【発明が解決しようとする課題】
【０００８】
上記特許文献１の「昇降装置」は、樹木の上端部を伐採する際に用いる装置で、樹木の根元部を伐採し、所定の方向へ倒木させることはできない。
【０００９】
特許文献２の「伐採用作業車」も、配電線にかかる樹木の枝や、その他の立木の枝を伐採するための、鋸部材の枝に対する切断方向を容易に換えられる技術で、樹木の下部を伐採し、所定の方向へ倒木させることはできない。竹のように生長が早いものでは頻繁に切断する必要があった。
【００１０】
また特許文献３の「竹伐採用アタッチメント及びそれを備えた竹伐採作業機」は、竹林の伐採の作業性を向上させる技術で、樹木の下部を伐採し、所定の方向へ倒木させることはできない。これら３件の特許文献は、いずれも大型の機械装置から成り立ち、伐採数が多いときには有効であるが、数本の樹木、竹を伐採する作業には大掛かりになりコストも高くなるという問題を有していた。また、山間部に運搬することが煩雑であるという問題も有していた。
【００１１】
本発明は、かかる問題点を解決するために創案されたものである。すなわち、本発明の目的は、伐採する竹木の下部に取り付けるだけで、従来のように竹木にロープを掛けるために樹木に昇ることなく、地上での作業のみで簡易かつ確実に任意の方向に倒木させることができ、しかも大型の機械を用いることなく任意の方向に倒木させることができる竹木伐採補助具を提供することにある。
【課題を解決するための手段】
【００１２】
本発明は、伐採する竹木（ｔ）が安全な方向へ倒れるように、伐採する際に竹木（ｔ）に取り付ける竹木伐採補助具（１，２１，３１）であって、２本の板材（６）間に複数本の横木（７，３２）を取り付けた補助具下本体（２）と、２本の板材（６）間に複数本の横木（７，３２）を取り付けた補助具上本体（３）と、長手方向へ直列に並べた前記補助具下本体（２）と補助具上本体（３）とを直線状態から一方向のみに折れ曲がるように該補助具下本体（２）の上部と該補助具上本体（３）の下部とを連結するヒンジ（４）と、各横木（７，３２）に設けられた、竹木（ｔ）を着脱自在に掛け止める把持部（５）と、を備えた、ことを特徴とする。
【００１３】
前記ヒンジ（４）に、前記補助具下本体（２）と補助具上本体（３）との折り曲げ方向へ付勢する弾性部材（２２）を備えると共に、該補助具下本体（２）と補助具上本体（３）とを、直線状態に維持するストッパー（２３）を更に備えることができる。
【００１４】
例えば、前記把持部（５）は、前記横木（７）に固定円弧状部材（８）の根元部を固定し、該固定円弧状部材（８）に向き合うように可動円弧状部材（９）を可動自在に取り付け、該可動円弧状部材（９）の開閉角度を規制する調整具（１０）を設けたものである。
前記把持部（５）は、竹木（ｔ）を掛け止める鉤状部材（２４）を前記横木（７）に取り付けたものである。
前記把持部（５）は、竹木（ｔ）に巻き付けるロープ（２６）を前記横木（７，３２）に取り付けたものである。
前記把持部（５）は、竹木（ｔ）に巻き付けるチェーン（２８）を前記横木（７，３２）に取り付け、かつ該チェーン（２８）の途中に引っ掛ける係止具（２９）を前記横木（７，３２）に設けたものである。
【００１５】
前記横木（３２）は、竹木（ｔ）の側面形状に沿って湾曲した形状にすることができる。
【発明の効果】
【００１６】
本発明の構成では、長手方向へ直列に並べた補助具下本体（２）と補助具上本体（３）とを直線状態にして、各把持部（５）に竹木（ｔ）の下部に取り付ける。この竹木伐採補助具（１）は、竹木（ｔ）を倒木させる側に取り付ける。竹木伐採補助具（１）のヒンジ（４）がある位置の反対側から、この竹木（ｔ）に鋸、チェーンソー又は斧で切り込みを入れる。補助具下本体（２）と補助具上本体（３）とは、直線状態から一方向のみに折れ曲がるために、竹木（ｔ）を充電部（ＥＳ）とは反対の方向へ倒木させることができる。即ち、伐採時に安全な方向へ竹木（ｔ）を誘導することができ、伐採作業の安全性を向上させることができる。
【００１７】
竹木伐採補助具（１）は、切り込みを入れる竹木（ｔ）の下部に取り付けるものであるために、作業者は竹木（ｔ）に昇ることなく地上からの作業のみで完了させることができる。また、把持部（５）が竹木（ｔ）を強固に掛け止める構造であるために、竹木（ｔ）から不用意に外れることがなく安全に作業することができる。また、ヒンジ（４）部分で折り曲げることができるので、不使用時にはコンパクトにこれを収納することができる。このように、従来の竹木（ｔ）に昇る作業がないので、伐採作業時間を短縮でき、作業人員も削減できる。
【００１８】
補助具下本体（２）と補助具上本体（３）との折り曲げ方向へ付勢する弾性部材（２２）をヒンジ（４）に備えた構造のものでは、重心位置が充電部（ＥＳ）側にずれている竹木（ｔ）又は風が充電部（ＥＳ）側へ吹いているときにも、この弾性部材（２２）の付勢力により、充電部とは反対の安全な方向へ強制的に倒木させることができる。なお、伐採する際に、竹木伐採補助具（１）を竹木（ｔ）に取り付けるときは、ストッパー（２３）を用いて補助具下本体（２）と補助具上本体（３）と直線状態に維持する。竹木（ｔ）への取り付けが完了したら、ストッパー（２３）を外して、弾性部材（２２）の付勢力を有効にしながら竹木（ｔ）を伐採する。
【００１９】
横木（７）に固定円弧状部材（８）と可動円弧状部材（９）から成る把持部（５）は、調整具（１０）を用いて竹木（ｔ）に強固に掛け止めることができる。
鉤状部材（２４）から成る把持部（５）は、竹などのまっすぐになった竹木（ｔ）に適しており、竹木伐採補助具（１）を迅速に取り付けることができる。
【００２０】
ロープ（２６）から成る把持部（５）は、巻き付ける作業で竹木（ｔ）を固定できるため、幹が曲がった不定形な竹木（ｔ）、又は太い幹の竹木（ｔ）に適している。
チェーン（２８）とチェーン（２８）の途中に引っ掛ける係止具（２９）から成る把持部（５）も、幹が曲がった不定形な竹木（ｔ）又は太い幹の竹木（ｔ）に適している。特にチェーン（２８）を竹木（ｔ）に巻き付けた後に、そのチェーン（２８）を係止具（２９）で止めるだけで取り付けを迅速に完了させることができる。また、ロープ（２６）又はチェーン（２８）が竹木（ｔ）から不用意に外れることがなく安全に作業することができる。
【００２１】
竹木（ｔ）の側面形状に沿って湾曲した形状の横木（７）は、太い幹の竹木（ｔ）に適している。密着力が高く、竹木（ｔ）を充電部（ＥＳ）とは反対の安全な方向へ強制的に案内することができる。
【図面の簡単な説明】
【００２２】
【図１】実施例１の竹木伐採補助具を示すものであり、（ａ）は正面図、（ｂ）は側面図、（ｃ）は背面図である。
【図２】実施例１の竹木伐採補助具を竹木に取り付けた状態を示す側面図である。
【図３】実施例１の把持部を示す部分拡大斜視図である。
【図４】実施例１の竹木伐採補助具を取り付けた竹木を伐採する状態を示す説明図であり、（ａ）は伐採前の状態、（ｂ）は倒木している状態である。
【図５】実施例２の弾性部材を備えた竹木伐採補助具を示す部分拡大側面図である。
【図６】鉤状部材から成る把持部の変形例を示し、（ａ）は部分拡大正面図、（ｂ）は部分拡大平面図である。
【図７】ロープから成る把持部の変形例を示し、（ａ）は部分拡大正面図、（ｂ）は部分拡大平面図である。
【図８】チェーンから成る把持部の変形例を示し、（ａ）は部分拡大正面図、（ｂ）は部分拡大平面図である。
【図９】実施例３の湾曲した横木から成る竹木伐採補助具を示す部分拡大平面図である。
【発明を実施するための形態】
【００２３】
本発明の竹木伐採補助具は、伐採する竹木が安全な方向へ倒れるよう誘導するために、その竹木に取り付けて使用する補助用具である。
【実施例１】
【００２４】
以下、本発明の実施の形態を図面を参照して説明する。
図１は実施例１の竹木伐採補助具を示すものであり、（ａ）は正面図、（ｂ）は側面図、（ｃ）は背面図である。図２は実施例１の竹木伐採補助具を竹木に掛け止めた状態を示す側面図である。
実施例１の竹木伐採補助具１は、補助具下本体２と補助具上本体３と、これらを長手方向に直列に連結するヒンジ４と、竹木ｔを着脱自在に掛け止める複数の把持部５とを備えた補助用具である。伐採する竹木ｔが安全な方向へ倒れるように、伐採する際に竹木ｔに取り付けて使用する補助用具である。
【００２５】
竹木伐採補助具１を構成する補助具下本体２又は補助具上本体３は、それぞれ２本の細長い板材６間に複数本の横木７を取り付けた器具である。本発明の竹木伐採補助具１は、伐採する竹木ｔが安全な方向へ倒れるよう誘導するものであるため、板材６と横木７はある程度の強度を有する材質のものが適している。例えば、金属製のものが適している。但し、山間部において使用するものであり、更に作業する者が担いで運搬することが多いため、アルミ材その他の軽量な材質の金属が好ましい。
【００２６】
補助具下本体２と補助具上本体３とは、補助具下本体２の上部と補助具上本体３の下部とがヒンジ４で連結されている。このヒンジ４により、長手方向へ直列に並べた補助具下本体２と補助具上本体３とを直線状態から一方向のみに折れ曲がるようになっている。図１（ｂ）の図示例では、ヒンジ４が取り付けられている右側のみに折れ曲がるようになっている。
【００２７】
竹木伐採補助具１の全長即ち補助具下本体２と補助具上本体３とを長手方向に連結した長さは、図２に示すように、１．０ｍから２．０ｍ程度である。本発明の竹木伐採補助具１は、竹木ｔに昇ることなく、伐採する竹木ｔが安全な方向へ倒れるように誘導する補助用具である。そこで、竹木ｔの下部において、その倒れる方向を規制する機能を発揮する長さがあればよい。この全長より短いと、竹木ｔの切断した際に、所定の方向へ倒れるように竹木ｔを誘導できないおそれがある。逆に、余りに長いと、ヒンジ４の位置が上方に移動し、作業員にとって鋸、チェーンソー、斧による切り込みが困難になる。更に、この竹木伐採補助具１の重量が増大し、運搬が困難になるので、上記の長さが適している。
【００２８】
図示例では補助具下本体２と補助具上本体３とはそれぞれ同じ長さものを図示している。しかし、補助具下本体２と補助具上本体３が常に同じ長さにする必要はなく、長さが異なっていても問題ない。連結した全長が長いものは、切断箇所Ｃが高くなり過ぎないように、補助具下本体２を補助具上本体３より短いものを連結することもできる。逆に連結した全長が短いものは、切断箇所を所定の高さ、切断作業が容易な高さになるように、補助具下本体２を補助具上本体３より長いものを連結することができる。
【００２９】
図３は実施例１の把持部を示す部分拡大斜視図である。
実施例１の把持部５は、例えば横木７に固定円弧状部材８の根元部を取り付け、この固定円弧状部材８に向き合うように可動円弧状部材９を、固定円弧状部材８の根元部に可動自在に取り付けたものである。固定円弧状部材８は竹木ｔの幹を囲むように円弧形状をした部材から成る。可動円弧状部材９も竹木ｔの幹を囲むように円弧形状をした部材から成る。更にこの可動円弧状部材９の開閉角度を規制する調整具１０を備えたものである。調整具１０はボルト状の部材からなり、軸を回転することにより、可動円弧状部材９の角度を調整する。この調整具１０により、固定円弧状部材８と可動円弧状部材９から成る把持部５は、竹木ｔに強固に掛け止めることができる。
【００３０】
実施例１の把持部５は、調整具１０による固定円弧状部材８と可動円弧状部材９との開口間隔Ｌ１が、竹木ｔの幹の外径Ｄ１より大きく開き、ここに竹木ｔを掛け止めた後は、少しでも開口間隔Ｌ１を狭めれば、把持部５として機能する。更に、固定円弧状部材８は横木７に、揺動自在に取り付けることも可能である。揺動自在にすることで、幹が曲折している竹木ｔ又は幹の太さが上下で大きく異なる竹木ｔにも把持部５の開口する向きを個々に可変して容易に掛け止めることができる。
【００３１】
この把持部５は、１台の竹木伐採補助具１に６個設けられている。これらを竹木ｔの根元から上方に向けて、６箇所を強固に固定するためである。補助具下本体２に３箇所を強固に固定し、補助具上本体３にも３箇所を強固に固定するためである。このようにすることで伐採された補助具上本体３に固定された竹木ｔを的確に所定方向へ誘導するためである。
【００３２】
なお、図示例では６箇の把持部５を設けた状態を示しているが、この６個に限定されない。４個又は８個を設けることも可能である。また、補助具下本体２と補助具上本体３とに常に同数設ける必要はなく、補助具下本体２に２個、補助具上本体３に個といった配分でもよい。
【００３３】
図４は実施例１の竹木伐採補助具１を掛け止めた竹木を伐採する状態を示す説明図であり、（ａ）は伐採前の状態、（ｂ）は倒木している状態である。
竹木伐採補助具１を、図４（ａ）に示すように、直列に並べた補助具下本体２と補助具上本体３とを直線状態にして、各把持部５に竹木ｔの下部を取り付ける。この竹木伐採補助具１は、竹木ｔを倒木させる側に取り付ける。図示上では、右側に倒木するために、竹木ｔの右側に竹木伐採補助具１を取り付けた。
【００３４】
次に、図４（ｂ）に示すように、竹木伐採補助具１のヒンジ４がある位置の反対側から、この竹木ｔに鋸、チェーンソー又は斧で切り込みＣを入れる。補助具下本体２と補助具上本体３とは、直線状態から一方向のみに折れ曲がるために、竹木ｔを充電部ＥＳとは反対の方向へ倒木させることができる。
【００３５】
この竹木伐採補助具１は、切り込みを入れる竹木ｔの下部に取り付けるものであるために、作業員は竹木ｔに昇ることなく地上からの作業のみで完了させることができる。また、把持部５が竹木ｔを強固に掛け止める構造であるために、竹木ｔから不用意に外れることがなく安全に作業することができる。
【実施例２】
【００３６】
図５は実施例２の弾性部材を備えた竹木伐採補助具を示す部分拡大側面図である。なお、補助具下本体２と補助具上本体３の構造は実施例１に示す構成のものと同様なので説明を省略する。
実施例２の竹木伐採補助具２１は、ヒンジ４に弾性部材２２を備えた補助用具である。巻きばね又は板ばねのような弾性部材２２を備えたヒンジ４は、補助具下本体２と補助具上本体３との折り曲げ方向へ常時付勢するように作用する。重心位置が充電部ＥＳ側にずれている竹木ｔは、竹木ｔの下部を切断しても、所定の方向に倒木しないおそれがある。同様に、風が充電部ＥＳ側へ吹いているときにも、竹木ｔが所定の方向に倒木しないおそれがある。そこで、竹木伐採補助具２１に設けた弾性部材２２の付勢力により、充電部ＥＳとは反対の安全な方向へ強制的に倒木する。
【００３７】
なお、竹木伐採補助具１を竹木ｔに取り付けるときは、ストッパー２３を補助具下本体２と補助具上本体３とに掛け止めた直線状態で行う。竹木ｔへの取り付けが完了したら、ストッパー２３を外して、弾性部材２２の付勢力を有効にして竹木ｔを伐採する。
【００３８】
図６は把持部の変形例であり鉤状部材から成るものを示し、（ａ）は部分拡大正面図、（ｂ）は部分拡大平面図である。
この把持部５の変形例は、竹木ｔを掛け止める鉤状部材２４を横木７に設けたものである。竹木ｔを掛け止める把持部５の構成は、上述したような固定円弧状部材８と可動円弧状部材９から成るものに限定されない。竹木ｔの幹が補助具下本体２と補助具上本体３により動きを規制できれば十分である。そこで、図６に示すように、単純な鉤状部材２４に替えることができる。この鉤状部材２４は、この鉤状部材２４の根元部を横木７に揺動自在に取り付けた。竹木ｔを掛け止める鉤状部材２４を横木７に設けた把持部５は、竹などの真っすぐになった竹木ｔに適しており、竹木伐採補助具１を迅速に取り付けることができる。
【００３９】
更に、この横木７には竹木ｔの幹が抜けないように抜止め具２５が設けられている。図６（ｂ）に示すように、竹木ｔの幹が竹木伐採補助具２１側（横木７側）に移動したときに、この抜止め具２５が竹木ｔが抜けることを阻止する。竹木ｔの幹が竹木伐採補助具２１から離れる方向に移動するときは、勿論鉤状部材２４で抜けないようになっている。
【００４０】
図７は把持部の変形例でありロープから成るものを示し、（ａ）は部分拡大正面図、（ｂ）は部分拡大平面図である。
この把持部５の変形例は、竹木ｔに巻き付けるロープ２６を横木７に固定具２７で取り付けたものである。竹木ｔは常に真っすぐなものばかりではなく、幹が曲がった不定形な竹木ｔ又は幹の太さが上下で極端に異なるものがある。そこで、ロープ２６は、図７（ａ）に示すように、その中間を横木７に取り付けた。このロープ２６は、上述したように、各横木７に取り付ける。
【００４１】
このロープ２６は、竹木ｔに竹木伐採補助具１を取り付けるときは、この竹木ｔの幹に結び付けるだけで取り付けが完了する。この状態で竹木ｔを伐採する。倒木した後は、このロープ２６を解けばよい。このロープ２６の把持部５は、幹が曲がった不定形な竹木ｔ又は太い幹の竹木ｔに適している。
【００４２】
図８はチェーンから成る把持部の変形例を示し、（ａ）は部分拡大正面図、（ｂ）は部分拡大平面図である。
この把持部５の変形例は、竹木ｔに巻き付けるチェーン２８を横木７に取り付け、このチェーン２８の長さを調節するために、チェーン２８の途中に引っ掛ける係止具２９を横木７に設けたものである。チェーン２８の一端は横木７にボルト等で固定する。このチェーン２８から成る把持部５も、幹が曲がった不定形な竹木ｔ又は太い幹の竹木ｔに適している。特にチェーン２８を竹木ｔに巻き付けた後に、そのチェーン２８に係止具２９で止めるだけで取り付けを迅速に完了させることができる。これらのロープ２６又はチェーン２８から成る把持部５は、竹木ｔから不用意に外れることがなく安全に作業することができる。
【実施例３】
【００４３】
図９は実施例３の湾曲した横木から成る竹木伐採補助具を示す部分拡大平面図である。なお、板材６とヒンジ４の構造は実施例１に示す構成のものと同様なので説明を省略する。
実施例３の竹木伐採補助具３１は、竹木ｔの側面形状に沿って湾曲した形状の横木３２を備えた補助用具である。この実施例３の竹木伐採補助具３１は、太い幹の竹木ｔに適している。密着力が高く、竹木ｔを充電部ＥＳとは反対の安全な方向へ強制的に誘導することができる。なお、この横木３２には、上述したチェーン２８又はロープ２６（図示していない。）から成る把持部５が適している。この横木３２への密着力を高めやすいからである。
【００４４】
なお、本発明は上述した発明の実施の形態に限定されず、伐採する竹木ｔの下部に取り付けるだけで、従来のように竹木ｔにロープを掛けるために竹木ｔに昇ることなく、地上での作業のみで簡易かつ確実に任意の方向に倒木させることができ、竹木ｔの高低差に関係なく取り付けることができ、しかも大型の機械を用いることなく任意の方向に倒木させことができことができる構成であれば、図示したような構成に限定されず、本発明の要旨を逸脱しない範囲で種々変更できることは勿論である。
【産業上の利用可能性】
【００４５】
本発明の竹木伐採補助具は、電力事業者の使用に限定されず、竹木を伐採する場面全般に有効に利用することができる。
【符号の説明】
【００４６】
１，２１，３１  竹木伐採補助具
２  補助具下本体
３  補助具上本体
４  ヒンジ
５  把持部
６  板材
７，３２  横木
８  固定円弧状部材
９  可動円弧状部材 
１０  調整具
２２  弾性部材
２３  ストッパー
２４  鉤状部材
２６  ロープ
２８  チェーン
２９  係止具
ｔ  竹木
【図１】
2012152118.tif 000003
【図２】
2012152118.tif 000004
【図３】
2012152118.tif 000005
【図４】
2012152118.tif 000006
【図５】
2012152118.tif 000007
【図６】
2012152118.tif 000008
【図７】
2012152118.tif 000009
【図８】
2012152118.tif 000010
【図９】
2012152118.tif 000011